(57)【要約】【課題】車両用シート用と大人用椅子用とを兼用する子供用椅子を提供する。【解決手段】子供用椅子１は、車両用シートのシートベルトと係合可能な係合部２４を有する椅子本体２と、大人用椅子の背当て部又は座部の少なくとも一方に取り付け可能な取付ベルト４、５と、を具備する。また、椅子本体２は、縫製品を有さない。さらに、椅子本体２は、軟質樹脂で形成されている。【選択図】図１
2016193655.tif 000002
【特許請求の範囲】
【請求項１】
車両用シートのシートベルトと係合可能な係合部を有する椅子本体と、
大人用椅子の背当て部又は座部の少なくとも一方に取り付け可能な取付ベルトと、
を具備することを特徴とする子供用椅子。
【請求項２】
前記椅子本体が、縫製品を有さないことを特徴とする請求項１に記載の子供用椅子。
【請求項３】
前記椅子本体が、軟質樹脂で形成されていることを特徴とする請求項１又は２に記載の子供用椅子。
【請求項４】
前記係合部が、補強部材で補強されていることを特徴とする請求項３に記載の子供用椅子。
【請求項５】
前記係合部が、シートベルトを受容する凹部であることを特徴とする請求項１から４のいずれか一項に記載の子供用椅子。
【発明の詳細な説明】
【技術分野】
【０００１】
本発明は、子供用椅子に関する。
【背景技術】
【０００２】
車両用シート上に載置する、身体の大きい子供（例えば、体重１５ｋｇ以上）用のチャイルドシートが公知である（特許文献１）。特許文献１に記載のようなこうしたチャイルドシートは、身体の小さい乳幼児用のチャイルドシートと異なり、背当て部を有していないものがある。すなわち、チャイルドシートに座った子供は、車両用シートの背当て部に直接的に寄りかかり、車両に備え付けのシートベルトを用いて拘束される。
【０００３】
ところで、チャイルドシートに外観上類似した製品として、室内において大人用椅子上に載置する、身体の大きい子供用のベビーチェアが公知である（特許文献２）。特許文献２に記載のようなこうしたベビーチェアは、大人用椅子の座面に載置し、子供の座高を上げることによって、子供が食事をし易くさせている。ベビーチェアは、付随する取付ベルトによって、大人用椅子の背当て部及び座部のいずれか一方又は両方に取り付けられる。
【先行技術文献】
【特許文献】
【０００４】
【特許文献１】特開２００４−３５９０５２号公報
【特許文献２】特許第４６２９２３６号公報
【発明の概要】
【発明が解決しようとする課題】
【０００５】
一般に、チャイルドシートは、衝突時に車両に作用する衝撃から乳幼児を保護するというその目的から、高い耐衝撃性能が求められる。そのため、チャイルドシートの本体部分は、例えばポリプロピレン等の比較的硬質な樹脂材料から形成される。この硬質な本体部分に対して、クッション性を高めるために、クッション等の縫製品が取り付けられる。
【０００６】
本体部分に対して縫製品を取り付ける必要があることから、製造工程が複雑となり、製造コストも高くなってしまう。また、縫製品が汚れた場合、煩雑な製品からの取り出し作業や洗濯をしなければならず手間がかかる。さらに、チャイルドシートは、車両用シートに取り付けて使用する以外の用途はない。仮に、チャイルドシートを室内において大人用椅子上に載置しようとすると、チャイルドシートは、大人用椅子への取付用バックルが取り付けられていないので、転倒の危険性がある。また、仮に大人用椅子上にチャイルドシートを載置できたとしても、その状態は、室内の雰囲気に調和するほど洗練されたものではない。
【０００７】
他方、ベビーチェアは、チャイルドシートと外観上類似していることから、意図的に又は意図せず、チャイルドシートとして車両用シート上に載置して使用されてしまうという誤使用の危険性がある。ベビーチェアは、チャイルドシートとして使用することは想定されていないことから、耐衝撃性能は非常に低く、衝突時に車両に作用する衝撃から子供を十分に保護することはできない。
【０００８】
すなわち、チャイルドシート及びベビーチェアは、それぞれの目的に合わせる専用製品である。このため、保護者はチャイルドシート及びベビーチェアの両方を購入する必要があり、経済的ではない。
【０００９】
ところで、製品開発の場において、チャイルドシートの一般的な課題の多くは、耐衝撃性能そのものや、耐衝撃性能を維持しながら解決すべき課題であるのに対し、ベビーチェアの一般的な課題は、当然に耐衝撃性能とは無関係の課題である。このため、チャイルドシート及びベビーチェアは、子供用品という同じカテゴリに属していたとしても、実際の技術内容やその解決しようとする課題等はそれぞれまったく異なるものであり、チャイルドシート及びベビーチェアの機能を兼用させるような動機付けは、存在しなかった。したがって、チャイルドシート又はベビーチェアの開発者にとって、車両用シート用と大人用椅子用とを１つの椅子で兼用するという発想は生じ得なかった。
【００１０】
本発明は、車両用シート用と大人用椅子用とを兼用する子供用椅子を提供することを目的とする。
【課題を解決するための手段】
【００１１】
本発明の一態様によれば、車両用シートのシートベルトと係合可能な係合部を有する椅子本体と、大人用椅子の背当て部又は座部の少なくとも一方に取り付け可能な取付ベルトと、を具備することを特徴とする子供用椅子が提供される。
【００１２】
なお、本明細書において、子供用椅子とは、車両用シート用であるチャイルドシートと大人用椅子用であるベビーチェアとを兼用可能な子供用の椅子をいう。また、子供用椅子を使用する対象者は、例えば、体重１５ｋｇ以上の身体の大きい子供であって、子供用椅子をチャイルドシートとして使用する場合に、チャイルドシートの背当て部を必要としない程度に身体の大きい子供である。
【００１３】
本発明の別の態様によれば、前記椅子本体が、縫製品を有さないことを特徴とする子供用椅子が提供される。
【００１４】
また、本発明の別の態様によれば、前記椅子本体が、軟質樹脂で形成されていることを特徴とする子供用椅子が提供される。
【００１５】
また、本発明の別の態様によれば、前記係合部が、補強部材で補強されていることを特徴とする子供用椅子が提供される。
【００１６】
また、本発明の別の態様によれば、前記係合部が、シートベルトを受容する凹部であることを特徴とする子供用椅子が提供される。
【発明の効果】
【００１７】
本発明によれば、車両用シート用と大人用椅子用とを兼用する子供用椅子を提供するという効果を奏する。その結果、ベビーチェアをチャイルドシートとして使用してしまうような誤使用の危険性が排除される。また、製造コストの削減も可能となる。
【図面の簡単な説明】
【００１８】
【図１】本発明の実施形態による子供用椅子の斜視図である。
【図２】図１の子供用椅子の別の斜視図である。
【図３】図１の子供用椅子の正面図である。
【図４】図１の子供用椅子の側面図である。
【図５】図１の子供用椅子の底面図である。
【図６】補強部材の斜視図である。
【図７】図６の補強部材の正面図である。
【図８】チャイルドシートとして使用した状態の子供用椅子の図である。
【図９】ベビーチェアとして使用した状態の子供用椅子の図である。
【発明を実施するための形態】
【００１９】
以下、図面を参照しながら本発明の実施の形態を詳細に説明する。全図面に渡り、対応する構成要素には共通の参照符号を付す。
【００２０】
図１は、本発明の実施形態による子供用椅子１の斜視図であり、図２は、図１の子供用椅子１の別の斜視図であり、図３は、図１の子供用椅子１の正面図であり、図４は、図１の子供用椅子１の側面図であり、図５は、図１の子供用椅子１の底面図である。子供用椅子１は、図１、図２及び図４において、図中左の方が前方を向くように配置され、使用される。
【００２１】
子供用椅子１は、椅子本体２と、腰ベルト３と、背当て部ベルト４と、座部ベルト５と、ベルトポジショナー６とを有している。
【００２２】
椅子本体２は、子供が着座する座部２０と、座部２０を支持する側壁２１とを有している。座部２０の左右には、上方に向かって隆起した隆起部２２がそれぞれ形成されている。そのため、座部２０は、図３の正面図に示されるように、着座した子供の臀部を包み込むような湾曲面上に形成されている。すなわち、中央部分の緩やかな凹曲面は、隆起部２２に沿って上方へ向かって延在し、連続的な曲面を形成している。一方、側壁２１は、全体として凸曲面に形成されている。
【００２３】
座部２０の中央部分には、腰ベルト３を挿通するため、略矩形の３つの貫通孔２３が形成されている。隆起部２２の各々の前部には、斜め下方に向かって延在する凹部２４が形成されている。凹部２４は、図４に示されるように、入口から奥に向かって拡がるように形成されている。凹部２４は、子供用椅子１をチャイルドシートとして使用する場合に、車両用シートのシートベルトを受容することによって係合するように形成されている。
【００２４】
椅子本体２は、ポリウレタン、エチレン酢酸ビニルコポリマー（ＥＶＡ）、熱可塑性ポリウレタンエラストマー（ＴＰＵ）等の軟質樹脂を一体成型することによって形成される。このため、椅子本体２の内部には、図５に示されるように、縦横に延びる複数のリブ２５が形成されている。本実施形態では、椅子本体２は、ポリウレタンから形成される。また、椅子本体２を形成するポリウレタンの硬度については、高分子計器株式会社製のＪＩＳ  Ｋ  ７３１２及びＪＩＳ  Ｓ  ６０５０に準拠したアスカーゴム硬度計Ｃ型で測定したゴム硬度の値が、５０度程度であることが好ましい。
【００２５】
図５に示されるように、椅子本体２の内部は、リブ２５によって矩形の空間に区切られている。その中央の空間２６は、腰ベルト３と、背当て部ベルト４と、座部ベルト５と、ベルトポジショナー６とを、それぞれ使用しない場合に収容するために使用される。なお、図５において、腰ベルト３と、背当て部ベルト４と、座部ベルト５と、ベルトポジショナー６は省略されている。所定のリブ２５の端面、すなわち底面には、腰ベルト３等を使用する際に椅子本体２の底面によって押圧されるのを防止するため、切り欠き２５ａ（図２）が形成されている。
【００２６】
腰ベルト３は、子供の大腿部を椅子本体２に対して固定するための取付ベルトである。また、背当て部ベルト４は、椅子本体２を大人用椅子の背当て部に対して固定するための取付ベルトである。また、座部ベルト５は、椅子本体２を大人用椅子の座部に対して固定するための取付ベルトである。腰ベルト３、背当て部ベルト４及び座部ベルト５の各々は、アジャスターによって長さ調節が可能となっており、公知のバックルによってスナップ式に留めることができる。
【００２７】
ベルトポジショナー６は、子供用椅子１をチャイルドシートとして使用する場合に、子供の上体を車両用シートの背当て部に対して密着させるための調節ベルトである。ベルトポジショナー６は、先端に配置された環状の取付部材を、上体を拘束する車両用シートのシートベルトに連結し、アジャスターによって長さ調節が可能となっている。
【００２８】
図６は、補強部材７の斜視図であり、図７は、図６の補強部材７の正面図である。補強部材７は、椅子本体２の左右の隆起部２２の内部において、凹部２４周辺に配置される板状の部材である。補強部材７は、板状の部材本体７０と、部材本体７０の側面を切り欠くことによって形成される湾曲した切り欠き部７１と、切り欠き部７１によって画成された頭部７２と、板状の表面から垂直にフランジ状に突出する脚部７３とを有している。補強部材７は、ポリプロピレン等の硬質樹脂を一体成型することによって形成されることから、表面に複数のリブを有している。
【００２９】
補強部材７は、その板状の表面が子供用椅子１の前後方向に沿うように椅子本体２の内部に配置される。このとき、図４に示されるように、頭部７２は、椅子本体２の隆起部２２の頂点部分に配置されると共に、切り欠き部７１は、椅子本体２の凹部２４の形状に適合するように配置される。言い換えると、補強部材７の切り欠き部７１及び頭部７２は、椅子本体２の凹部２４の内面及び隆起部２２の頂点部分の内面に略当接するような形状に形成されている。さらに、脚部７３は、補強部材７が外れないように、椅子本体２の内部の構造と係止している。
【００３０】
補強部材７を凹部２４周辺に配置することによって、椅子本体２の凹部２４周辺の構造が補強され、子供用椅子１の耐衝撃性能をさらに向上させることができる。すなわち、車両の衝突時には子供用椅子１全体が前方向の慣性力を受ける。椅子本体２の凹部２４が車両用シートのシートベルトを受容していることから、衝突時にはこの慣性力は、特にこの凹部２４に集中する。凹部２４は、補強部材７によって補強されることから、椅子本体２の隆起部２２の変形を抑制することができ、結果として耐衝撃性能をさらに向上する。
【００３１】
次に、子供用椅子１の使用方法について説明する。
【００３２】
図８は、チャイルドシートとして使用した状態の子供用椅子１の図である。子供用椅子１をチャイルドシートとして使用するとき、腰ベルト３は、椅子本体２内に収容される。子供用椅子１を車両用シート１００上に載置し、子供を着座させた後、シートベルト１０１を締める。このとき、上体を拘束するよう斜めに延びるシートベルト１０２の部分に対しては、ベルトポジショナー６が取り付けられる。また、腰を拘束するよう左右に延びるシートベルト１０３の部分は、椅子本体２の凹部２４に受容され、係合する。
【００３３】
図９は、ベビーチェアとして使用した状態の子供用椅子１の図である。子供用椅子１をベビーチェアとして使用するとき、腰ベルト３は、座部２０上に配置される。子供用椅子１を大人用椅子１１０上に載置し、大人用椅子１１０の座部１１１に対して座部ベルト５を用いて子供用椅子１を固定する。さらに、大人用椅子１１０の背当て部１１２に対して背当て部ベルト４を用いて子供用椅子１を固定する。座部ベルト５を使用することなく、背当て部ベルト４のみを用いて子供用椅子１を大人用椅子１１０に対して固定するようにしてもよい。次いで、腰ベルト３に両方の大腿部が拘束されるように、子供を着座させる。
【００３４】
子供用椅子１は、椅子本体２の内部に複数のリブ２５が形成されていることから変形し難く、且つ、椅子本体２の凹部２４が車両用シートのシートベルトを受容して係合する。それによって、子供用椅子１は、耐衝撃性能の衝突試験の基準をクリアすることができ、チャイルドシートとして使用することができる。さらに、椅子本体２の凹部２４は、補強部材７によって補強されることから、耐衝撃性能がより向上する。ただし、耐衝撃性能の衝突試験の基準をクリアできるのであれば、補強部材７はなくてもよい。また、凹部２４の形状は、シートベルトを受容して係合する限りにおいて、任意に設定可能である。
【００３５】
上述した実施形態では、車両用シートのシートベルトとの係合部として、シートベルトを受容することによって係合する凹部２４を椅子本体２に形成したが、凹部２４の代わりに、シートベルトと係合する凸部を形成してもよい。また、子供用椅子１は、大人用椅子に安定して固定できる限りにおいて、背当て部ベルト４又は座部ベルト５の少なくとも一方を有するように構成してもよい。
【００３６】
本発明の実施形態の子供用椅子１によれば、車両用シート用と大人用椅子用とを兼用する１つの椅子が提供される。したがって、ベビーチェアをチャイルドシートとして使用してしまうというような誤使用の危険性が排除される。また、保護者にとって、チャイルドシート及びベビーチェアの両方を買うことなく、子供用椅子１を１つ買うだけで十分なことから、経済的である。
【００３７】
子供用椅子１の椅子本体２をウレタン等の軟質樹脂で形成することによって、さらには上述したような値のゴム硬度で形成することによって、表面をクッション等の縫製品で覆わなくても、着座する子供が痛みを感じるような硬さや不快感がない。したがって、椅子本体２に縫製品を設ける必要がなくなり、製造コストを削減することが可能となる。また、椅子本体２が軟質樹脂で形成されていることから、これが汚れたとしても、簡単に拭き取ることができる。さらに、主に軟質樹脂で形成された子供用椅子１は、軽量で持ち運びが容易である。そのため、自動車で外出の際、車両内では子供用椅子１をチャイルドシートとして使用し、降車後、外出先の家やレストラン等ではベビーチェアとして使用するといったことが、容易にできる。また、軟質樹脂は火傷を負う程の高温にはならないため、縫製品を使用せずとも商品化を図ることができる。
【００３８】
子供用椅子１は、優美な曲面を含む一体成型品であることから、デザイン性にも優れており、且つ、よりコンパクトにすることができる。したがって、子供用椅子１を大人用椅子上に載置することができ、その場合において、室内の雰囲気にも調和する。
【符号の説明】
【００３９】
１    子供用椅子
２    椅子本体
３    腰ベルト
４    背当て部ベルト
５    座部ベルト
６    ベルトポジショナー
７    補強部材
２０    座部
２１    側壁
２２    隆起部
２３    貫通孔
２４    凹部
【図１】
2016193655.tif 000003
【図２】
2016193655.tif 000004
【図３】
2016193655.tif 000005
【図４】
2016193655.tif 000006
【図５】
2016193655.tif 000007
【図６】
2016193655.tif 000008
【図７】
2016193655.tif 000009
【図８】
2016193655.tif 000010
【図９】
2016193655.tif 000011